(57)【特許請求の範囲】
【請求項１】
人の口と鼻を覆う通気性微粒子捕捉部の周縁に、人の顔面に沿う環状フィット部を設け、
この環状フィット部のうち人の口の左右に当る部分を除く領域に、人の顔面に接着可能な接着剤層を設け、この接着剤層に剥離紙を添着し、
環状フィット部のうち接着剤層を設けない上記口の左右部分に、伸縮可能なフィット部襞部を形成したことを特徴とするマスク。
【請求項２】
請求項１記載のマスクにおいて、環状フィット部には、形状を自由に設定できる金属材料が含まれているマスク。
【請求項３】
請求項１または２記載のマスクにおいて、通気性微粒子捕捉部は、伸縮可能な捕捉部襞部を有しているマスク。
【請求項４】
請求項１ないし３のいずれか１項記載のマスクにおいて、通気性微粒子捕捉部は、通気性でシート状の有機高分子物質マトリックスを含んでいるマスク。
【請求項５】
請求項４記載のマスクにおいて、シート状有機高分子物質マトリックスは、紙または不織布であるマスク。
【請求項６】
請求項４または５記載のマスクにおいて、有機高分子物質マトリックスは、Ｃａ／Ｐ比が１．０〜２．０のリン酸カルシウム系化合物の粒子が担持されているマスク。
【請求項７】
請求項４ないし６のいずれか１項記載のマスクにおいて、通気性微粒子捕捉部は、シート状有機高分子物質マトリックスの他に、ガーゼと不織布のうちの１種を含んでいるマスク。
【発明の詳細な説明】
【０００１】
【技術分野】
本発明は、人の鼻と口に装着して用いるマスクに関する。
【０００２】
【従来技術及びその問題点】
塵埃、花粉、細菌等の微粒子を吸い込むのを防ぐためのマスクは従来、例外なく、耳または頭に掛け止めるための紐状体（ゴム等の伸縮可能なものを含む）を備えている。この紐状体は従来、一般に自由状態で矩形をなすマスク本体の短辺側に設けられており、人の顔面に装着した状態では、矩形のマスク本体の短辺を縮めるように作用する。このため、顔面に密着しにくく、周辺に隙間が生じて微粒子の捕捉が不十分になる傾向があった。また、紐状体の装着部がどうしても厚肉となるため、視野が遮られることがある。
【０００３】
【発明の目的】
本発明は、紐状体を用いることなく、より確実に顔面に密着させることができ、従って微粒子の捕捉効果が高いマスクを得ることを目的とする。また、本発明は、視野を遮る度合いが少ないマスクを得ることを目的とする。
【０００４】
【発明の概要】
本発明のマスクは、人の口と鼻を覆う通気性微粒子捕捉部の周縁に、人の顔面に沿う環状フィット部を設け、この環状フィット部のうち人の口の左右に当る部分を除く領域に、人の顔面に接着可能な接着剤層を設け、この接着剤層に剥離紙を添着し、環状フィット部のうち接着剤層を設けない口の左右部分に、伸縮可能なフィット部襞部を形成したことを特徴としている。
【０００５】
環状フィット部には、形状を自由に設定できる金属材料を含ませることができる。
【０００６】
伸縮可能な襞部は、通気性微粒子捕捉部にも設けることが好ましい。通気性微粒子捕捉部は、ガーゼ等の種々の材料から構成することができるが、さらに、通気性でシート状の有機高分子物質マトリックスを含ませることができる。具体的には、このシート状有機高分子物質マトリックスは、紙または不織布から構成することが好ましい。そして、この有機高分子物質マトリックスには、Ｃａ／Ｐ比が１．０〜２．０のリン酸カルシウム系化合物の粒子を担持させると、花粉、細菌、あるいはウィルスの捕捉効果も得ることができる。
【０００７】
【発明の実施の形態】
図１ないし図３は、本発明によるマスク１０の基本的な形状例を示す。このマスク１０は、中心部の正面視略楕円形の通気性微粒子捕捉部２０と、この通気性微粒子捕捉部２０の周縁に位置する周縁フィット部３０とを有する。通気性微粒子捕捉部２０は、人の鼻Ｎに対応する中心隆起部２１と、口Ｍに対応する捕捉部襞部２２とを有している。
【０００８】
周縁フィット部３０は、通気性微粒子捕捉部２０の周縁にフランジ状に形成されていて、その内面（顔面側）に、接着剤層３１が付着形成され、この接着剤層３１上に、剥離紙３２が添着されている。顔の伸縮により容易に対応できるように、周縁フィット部３０のうち口の両側部の部分３３は、接着剤層の不連続部（非形成部）とし、この接着剤不連続部３３を、周縁フィット部襞部３４としている。
【０００９】
図４と図５はそれぞれ、通気性微粒子捕捉部２０の捕捉部襞部２２と、周縁フィット部３０の周縁フィット部襞部３４の形状例を断面で示している。捕捉部襞部２２は、人がしゃべるときに、通気性微粒子捕捉部２０が対応して伸縮できる形状であればよい。一方、周縁フィット部襞部３４は、接着剤層３１を介して周縁フィット部３０を顔面に接着したとき、できるだけ顔面との間に隙間ができない形状とする。図４の例では、捕捉部襞部２２を単純なＶ字状（Ｕ字状）断面の連続とし、図５の例では、Ω状断面の連続としている。
【００１０】
通気性微粒子捕捉部２０は、空気中の粒子を捕捉できる材料であればよい。例えば、ガーゼ等の従来の素材の他、例えば、その少なくとも一層を、本出願人が特開平５−１１５５７２号で提案したようなシート状の有機高分子物質マトリックスから構成することができる。図６は、２枚のシート状有機高分子物質マトリックス（フィルター材）２４をガーゼ材料２５の間に挟み込んだ例であり、図７は、１枚のフィルター材２４とガーゼ材料２５を重ねたものである。
【００１１】
フィルター材２４は、紙（セルロース）または不織布からなるもので、リン酸カルシウム系化合物の粒子を担持して含み、その繊維間の空隙２４ａを空気が通過できる。リン酸カルシウム系化合物は、１．０〜２．０のＣａ／Ｐ比を有するものを用いる。例えば、ハイドロキシアパタイト、リン酸三カルシウム、リン酸四カルシウム等を用いることができる。また、これらのリン酸カルシウム系化合物は、粒径０．１〜５００μｍの粒子として用いるのがよい。このようなフィルター材２４は、空気中の有害ガス、悪臭成分、細菌、ウィルス、花粉等に対して優れた吸着作用を有することが確認されている。
【００１２】
上記構成の本マスク１０は、使用に当り、剥離紙３２を剥離し、その通気性微粒子捕捉部２０を人の口部と鼻部に当てて、周縁フィット部３０の接着剤層３１を顔面に接着する。この接着状態では、通気性微粒子捕捉部２０の周縁に厚肉部が存在しないため、人の視野が遮られることがない。また、特に捕捉部襞部２２と周縁フィット部襞部３４が存在すると、人がしゃべる際の顔面の形状変化に十分対応することができる。
【００１３】
また、周縁フィット部３０内には、形状を自由に設定できる金属材料３５または芯材を含ませることができる。このような金属材料３５や芯材を挿入しておけば、より確実に個々の人の顔面の形状に対応することができる。この金属材料３５は、人の鼻Ｎに対応する上部のみに設けてもよい。
【００１４】
【発明の効果】
本発明によれば、紐状体を用いることなく、より確実に顔面に密着させることができ、従って微粒子の捕捉効果が高く、かつ視野を遮る度合いが少ないマスクを得ることができる。また、構造が単純で安価に製造できるから、コストパフォーマンスが高い。
【図面の簡単な説明】
【図１】本発明のマスクの一例を示す正面図である。
【図２】図１のII-II 線に沿う断面図である。
【図３】図１のIII-III 線に沿う断面図である。
【図４】図１のマスクの中心襞部の形状例を示す模式断面図である。
【図５】図１のマスクの周縁フィット部の形状例を示す模式断面図である。
【図６】本発明のマスクの具体的な構造例を示す断面図である。
【図７】本発明のマスクの具体的な別の構造例を示す断面図である。
【符号の説明】
１０  マスク
２０  通気性微粒子捕捉部
２１  中心隆起部
２２  捕捉部襞部
２４  有機高分子物質マトリックス（フィルター材）
２５  ガーゼ材料
３０  周縁フィット部
３１  接着剤層
３２  剥離紙
３４  周縁フィット部襞部
３５  金属材料
【図１】
0003766488.tif 000002
【図２】
0003766488.tif 000003
【図３】
0003766488.tif 000004
【図４】
0003766488.tif 000005
【図５】
0003766488.tif 000006
【図６】
0003766488.tif 000007
【図７】
0003766488.tif 000008